(57)【要約】【課題】浴室内におけるかびの発生を確実に阻止することができ、しかも、入浴者をリフレッシュさせることができる浴室暖房換気乾燥機を提供する。【解決手段】浴室内の空気を循環ファン１４によって循環させながら熱交換器１３によって加熱する暖房運転モードと、浴室内の空気を循環ファン１４によって循環させながら換気ファン１５によって排気する涼風運転モードと、浴室内の空気を循環ファン１４によって循環させながら熱交換器１３によって加熱すると共に、換気ファン１５によって排気する乾燥運転モードと、浴室内の空気を換気ファン１５によって排気する換気運転モードとを備えており、暖房運転モードや涼風運転モードで運転するときは負イオンの放出比率を高めたリフレッシュモードで、乾燥運転モードや換気運転モードで運転するときは負イオンと正イオンとを略同数放出するクリーンモードでイオン発生ユニット１７が運転される。【選択図】　　　　図２
2004028449.tif 000002
【特許請求の範囲】
【請求項１】
正イオンと負イオンとをそれぞれ生成して放出するイオン発生ユニットを搭載したことを特徴とする浴室暖房換気乾燥機。
【請求項２】
負イオンを生成して放出する負イオン発生ユニットと、オゾンを生成して放出するオゾン発生ユニットとを搭載したことを特徴とする浴室暖房換気乾燥機。
【請求項３】
正イオンに対する負イオンの放出比率を高くするリフレッシュモードを備えている請求項１に記載の浴室暖房換気乾燥機。
【請求項４】
負イオンのみを生成して放出するリフレッシュモードを備えている請求項２に記載の浴室暖房換気乾燥機。
【請求項５】
正イオンと負イオンとを略同数放出させるクリーンモードを備えている請求項１に記載の浴室暖房換気乾燥機。
【請求項６】
オゾンのみを生成して放出するクリーンモードを備えている請求項２に記載の浴室暖房換気乾燥機。
【請求項７】
浴室内の空気を加熱しながら循環させる暖房運転モード及び浴室内の空気を加熱することなく循環させながら排気する涼風運転モードと、前記リフレッシュモードとをそれぞれ連動させるようにした請求項３または４に記載の浴室暖房換気乾燥機。
【請求項８】
浴室内の空気を加熱しながら循環させると共に排気する乾燥運転モード及び浴室内の空気を排気する換気運転モードと、前記クリーンモードとをそれぞれ連動させるようにした請求項５または６に記載の浴室暖房換気乾燥機。
【請求項９】
人検出センサによって、浴室内に人の存在が検出されたときは、自動的に前記リフレッシュモードに切り換えるようにした請求項３または４に記載の浴室暖房換気乾燥機。
【請求項１０】
人検出センサによって、浴室内に人の存在が検出されないときは、自動的に前記クリーンモードに切り換えるようにした請求項５または６に記載の浴室暖房換気乾燥機。
【発明の詳細な説明】
【０００１】
【発明の属する技術分野】
この発明は、浴室内に設置される浴室暖房換気乾燥機に関する。
【０００２】
【従来の技術】
浴室内に設置される浴室暖房換気乾燥機は、気温の低い冬場や気温の高い夏場に快適に入浴することができるように、浴室内の空気を加熱しながら循環させる暖房運転モードや浴室内の空気を加熱することなく循環させる涼風運転モードを備えていると共に、浴室内におけるかびの発生を抑えるために、浴室内の空気を加熱しながら排気する乾燥運転モードや浴室内の空気を加熱することなく排気する換気運転モード等を備えており、入浴直前や入浴中は、暖房運転モードや涼風運転モードで運転し、入浴後は、乾燥運転モードや換気運転モードに切り換えて運転するようになっている。
【０００３】
【発明が解決しようとする課題】
しかしながら、入浴後に、乾燥運転モードや換気運転モードに切り換えて浴室暖房換気乾燥機を運転することによって、湿気の高い浴室内の空気を屋外に排気しても、浴室内に存在している全てのかび菌等を屋外に排出することはできず、浴室内におけるかびの発生を確実に阻止することができないのが現状である。
【０００４】
また、入浴する際、気温の低い冬場は暖房運転モードで、気温の高い夏場は涼風運転モードで浴室暖房換気乾燥機を運転すると、浴室内を快適な環境に維持しながら入浴することができるが、これに加えて、入浴中に精神を安定させ、疲れた体をリフレッシュさせることができればさらに望ましい。
【０００５】
そこで、この発明の課題は、浴室内におけるかびの発生を確実に阻止することができ、しかも、入浴中に精神を安定させ、疲れた体をリフレッシュさせることができる浴室暖房換気乾燥機を提供することにある。
【０００６】
【課題を解決するための手段及びその効果】
上記の課題を解決するため、請求項１にかかる発明は、正イオンと負イオンとをそれぞれ生成して放出するイオン発生ユニットを搭載したことを特徴とする浴室暖房換気乾燥機を提供するものである。
【０００７】
以上のように、この浴室暖房換気乾燥機には、正イオンと負イオンとを生成して放出するイオン発生ユニットが搭載されているので、このイオン発生ユニットから放出される負イオンによるリフレッシュ効果を享受することができる。また、イオン発生ユニットから放出される正イオンと負イオンとが化学反応を起こすことで、殺菌作用を有する高活性物質が生成され、この高活性物質の殺菌作用によって、浴室内に浮遊しているかび菌等が分解除去されるので、浴室内におけるかびの発生を確実に阻止することが可能となる。
【０００８】
また、上記の課題を解決するため、請求項２にかかる発明は、負イオンを生成して放出する負イオン発生ユニットと、オゾンを生成して放出するオゾン発生ユニットとを搭載したことを特徴とする浴室暖房換気乾燥機を提供するものである。
【０００９】
以上のように、この浴室暖房換気乾燥機には、負イオンを生成して放出する負イオン発生ユニットと、オゾンを生成して放出するオゾン発生ユニットとが搭載されているので、負イオン発生ユニットから放出される負イオンによるリフレッシュ効果を享受することができると共に、オゾン発生ユニットから放出されるオゾンの殺菌作用によって、浴室内に浮遊しているかび菌等を分解除去することができ、浴室内におけるかびの発生を確実に阻止することが可能となる。
【００１０】
上述した負イオンによるリフレッシュ効果を高めるためには、請求項３にかかる発明の浴室暖房換気乾燥機のように、正イオンに対する負イオンの放出比率を高くするリフレッシュモードを備えているものや、請求項４にかかる発明の浴室暖房換気乾燥機のように、負イオン発生ユニットのみを運転することによって、負イオンのみを生成して放出するリフレッシュモードを備えているものが望ましい。
【００１１】
また、浴室内に浮遊しているかび菌等の分解除去を効率よく行うためには、請求項５にかかる発明の浴室暖房換気乾燥機のように、イオン発生ユニットから正イオンと負イオンとを略同数放出させるクリーンモードを備えているものや、請求項６にかかる発明の浴室暖房換気乾燥機のように、オゾン発生ユニットのみを運転することによって、オゾンのみを生成して放出するクリーンモードを備えているものが望ましい。
【００１２】
特に、請求項７にかかる発明の浴室暖房換気乾燥機のように、浴室内の空気を加熱しながら循環させる暖房運転モード及び浴室内の空気を加熱することなく循環させながら排気する涼風運転モードと、前記リフレッシュモードとをそれぞれ連動させるようにしておくと、入浴する際に、暖房運転モードや涼風運転モードに切り換えて浴室暖房換気乾燥機を運転するだけで、自動的に負イオンが浴室内に放出されるので、モードの切換操作が複雑になることがなく、従来の浴室暖房換気乾燥機と同様の操作性を維持しながら、負イオンによるリフレッシュ効果を確実に享受することができる。
【００１３】
また、請求項８にかかる発明の浴室暖房換気乾燥機のように、浴室内の空気を加熱しながら循環させると共に排気する乾燥運転モード及び浴室内の空気を排気する換気運転モードと、前記クリーンモードとをそれぞれ連動させるようにしておくと、入浴後に、乾燥運転モードや換気運転モードに切り換えて浴室暖房換気乾燥機を運転するだけで、自動的に略同数の正イオン及び負イオンやオゾンが浴室内に放出されるので、モードの切換操作が複雑になることがなく、従来の浴室暖房換気乾燥機と同様の操作性を維持しながら、浴室内におけるかび菌等の分解除去を確実に行うことができる。
【００１４】
また、請求項９にかかる発明の浴室暖房換気乾燥機のように、浴室内に別途設置された人検出センサや浴室暖房換気乾燥機に内蔵された人検出センサによって、浴室内に人の存在が検出されたときは、自動的に前記リフレッシュモードに切り換えるようにしておくと、例えば、暖房運転モードや涼風運転モードで浴室暖房換気乾燥機を運転しながら入浴する場合は、自動的に負イオンが浴室内に放出されるので、モードの切換操作が複雑になることがなく、従来の浴室暖房換気乾燥機と同様の操作性を維持しながら、負イオンによるリフレッシュ効果を確実に享受することができる。
【００１５】
また、請求項１０にかかる発明の浴室暖房換気乾燥機のように、浴室内に別途設置された人検出センサや浴室暖房換気乾燥機に内蔵された人検出センサによって、浴室内に人の存在が検出されないときは、自動的に前記クリーンモードに切り換えるようにしておくと、例えば、入浴後に、乾燥運転モードや換気運転モードに切り換えて浴室暖房換気乾燥機を運転する場合は、自動的に略同数の正イオン及び負イオンやオゾンが浴室内に放出されるので、モードの切換操作が複雑になることがなく、従来の浴室暖房換気乾燥機と同様の操作性を維持しながら、浴室内におけるかび菌等の分解除去を確実に行うことができる。
【００１６】
【発明の実施の形態】
以下、実施の形態について図面を参照して説明する。この浴室暖房換気乾燥機１は、図１（ａ）、（ｂ）に示すように、浴室の壁面に取り付けられる、前面が開放された本体ケース１１と、この本体ケース１１の前面側を覆うフロントカバー１２とを備えており、前記本体ケース１１内には、図２（ａ）、（ｂ）に示すように、屋外に設置される温水暖房熱源機から温水パイプ及び接続チューブＨＣを介して供給される温水と空気との間で熱交換を行う熱交換器１３と、この熱交換器１３の背面側に設置された循環ファン１４と、熱交換器１３及び循環ファン１４の側方に設置された、浴室壁面における浴室暖房換気乾燥機１の取付領域内に形成された換気穴を通して浴室内の空気を屋外に排気する換気ファン１５と、熱交換器１３の上方に設置された、風向調整用のルーバーを有する温風吹出口１６と、この温風吹出口１６と循環ファン１４との間に設置されたイオン発生ユニット１７とが設けられている。
【００１７】
前記イオン発生ユニット１７は、誘電体であるガラス板を挟んで印加電極と接地電極とが対向設置されたイオン発生素子と、このイオン発生素子の印加電極に交流高電圧を印加する高圧電源部とから構成されており、イオン発生素子の印加電極に交流高電圧を印加すると、接地電極からプラズマ放電が起こり、このプラズマ放電によって、空気中の酸素や水蒸気が電離され、正イオン（Ｈ＋）及び負イオン（Ｏ２−）が生成されるようになっている。
【００１８】
また、このイオン発生ユニット１７は、正イオン（Ｈ＋）と負イオン（Ｏ２−）の生成比率を調整することができるようになっており、正イオン（Ｈ＋）と負イオン（Ｏ２−）とを略同量生成するクリーンモードと、正イオン（Ｈ＋）に対する負イオン（Ｏ２−）の生成比率を高くするリフレッシュモードといった２つの運転モードを備えている。
【００１９】
従って、このイオン発生ユニット１７をクリーンモードで運転すると、正イオン（Ｈ＋）と負イオン（Ｏ２−）とが略同数放出され、水分子と結合した状態の正イオン（Ｈ＋）及び負イオン（Ｏ２−）が空気中に浮遊しているかび菌、有害物質、臭い成分に吸着した状態で相互に化学反応を起こすことによって、活性の強い過酸化水素（Ｈ２Ｏ２）や水酸基ラジカル（・ＯＨ）が生成され、この過酸化水素（Ｈ２Ｏ２）や水酸基ラジカル（・ＯＨ）によって、かび菌、有害物質、臭い成分が分解、除去される。
【００２０】
一方、このイオン発生ユニット１７をリフレッシュモードで運転すると、負イオン（Ｏ２−）の放出比率が高くなるので、放出された多数の負イオン（Ｏ２−）によって、生体に悪影響を及ぼす正イオンが中和され、すがすがしさや疲れた体をリフレッシュさせることができる。
【００２１】
以上のように構成された浴室暖房換気乾燥機１では、温水暖房熱源機から熱交換器１３に温水を供給しながら、循環ファン１４によって浴室内の空気を循環させることで浴室内を暖房する暖房運転モードと、熱交換器１３への温水の供給を停止した状態で、循環ファン１４によって浴室内の空気を循環させながら、換気ファン１５によって浴室内の空気を屋外に排気する涼風運転モードと、熱交換器１３に温水を供給しながら、循環ファン１４によって浴室内の空気を循環させると共に、換気ファン１５によって浴室内の空気を屋外に排気する乾燥運転モードと、熱交換器１３への温水の供給及び循環ファン１４の運転を停止した状態で、換気ファン１５のみによって浴室内の空気を屋外に排気する換気運転モードといった４つの基本運転モードを備えており、通常、入浴前や入浴中に選択される暖房運転モードや涼風運転モードで運転するときは、イオン発生ユニット１７がリフレッシュモードで自動的に運転されるようになっており、入浴後に選択される乾燥運転モードや換気運転モードで運転するときは、イオン発生ユニット１７がクリーンモードで自動的に運転されるようになっている。
【００２２】
以上のように、この浴室暖房換気乾燥機１では、冬場や夏場における入浴前や入浴中に暖房運転モードや涼風運転モードで運転を行うと、イオン発生ユニット１７から浴室内に多量の負イオン（Ｏ２−）が同時に放出されることになるので、浴室内を快適な環境に維持しながら入浴を行うことができるだけでなく、浴室内に放出された負イオン（Ｏ２−）のリフレッシュ効果によって、精神を安定させ、疲れた体をリフレッシュさせることができる。
【００２３】
また、入浴後は、乾燥運転モードや換気運転モードに切り換えて運転を行うと、イオン発生ユニット１７から浴室内に略同量の正イオン（Ｈ＋）と負イオン（Ｏ２−）とが同時に放出されることになるので、浴室内の湿気を除去することによってかび菌の発生を抑制するだけでなく、上述したように、浴室内に浮遊しているかび菌、有害物質、臭い成分を積極的に分解、除去することができ、浴室内におけるかびの発生を確実に阻止することが可能となる。
【００２４】
また、この浴室暖房換気乾燥機１では、入浴する際に選択される暖房運転モードや涼風運転モードとリフレッシュモードとが、入浴後に選択される乾燥運転モードや換気運転モードとクリーンモードとが連動されているので、ユーザが基本運転モードとイオン発生ユニット１７の運転モードとの組合せを考慮する必要がなく、従来の浴室暖房換気乾燥機と同様の操作性を維持しながら、負イオンによるリフレッシュ効果や防かび効果を確実に享受することができる。
【００２５】
なお、上述した実施形態では、使い勝手をよくするために、浴室暖房換気乾燥機１の基本運転モードとイオン発生ユニット１７の運転モードとを予め連動させているが、これに限定されるものではなく、例えば、浴室内に別途設置された人検出センサや浴室暖房換気乾燥機に内蔵された人検出センサによって、浴室内に人の存在が検出されたときは、自動的にリフレッシュモードに切り換え、浴室内に人の存在が検出されないときは、自動的にクリーンモードに切り換えるようにしておくと、暖房運転モードや涼風運転モードで浴室暖房換気乾燥機を運転しながら入浴する場合は、イオン発生ユニットがリフレッシュモードで運転され、入浴後に、乾燥運転モードや換気運転モードに切り換えて浴室暖房換気乾燥機を運転する場合は、イオン発生ユニットがクリーンモードで運転されることになるので、上述した実施形態と同様の使い勝手を確保することができる。
【００２６】
また、上述した実施形態では、浴室暖房換気乾燥機１が暖房運転モードで運転されるときは、イオン発生ユニット１７がリフレッシュモードで運転されるようになっているが、通常、暖房開始直後の強運転時は、浴室内が設定温度まで到達しておらず、入浴を行っていないと想定されるので、暖房開始直後の強運転状態から弱運転状態に移行するまでの間は、イオン発生ユニット１７をクリーンモードで運転させるようにしてもよい。
【００２７】
また、浴槽への自動お湯張りを行いながら、浴室暖房換気乾燥機１を暖房運転モードで運転している場合、浴槽への自動お湯張りが完了するまでは、通常、入浴を行わないので、浴槽への自動お湯張りが完了するまでの間は、イオン発生ユニット１７をクリーンモードで運転させるようにしてもよい。
【００２８】
また、自動お湯張りモードで浴槽へのお湯張りを行った後、給湯器による自動保温運転が継続されている状態では、入浴が行われる可能性は高いが、給湯器による自動保温運転が解除されている状態では、入浴が行われる可能性が低いと想定されるので、浴室暖房換気乾燥機１を暖房運転モードで運転している場合であっても、給湯器による自動保温運転が解除されている間は、イオン発生ユニット１７をクリーンモードで運転させるようにしてもよい。
【００２９】
また、上述した実施形態では、正イオンと負イオンとをそれぞれ生成して放出するイオン発生ユニット１７を搭載し、正イオンに対する負イオンの放出比率を高めることによってリフレッシュ効果を、正イオンと負イオンとを同量放出することによって防かび効果を享受するようにしているが、これに限定されるものではなく、例えば、リフレッシュ作用を有する負イオンを生成して放出する負イオン発生ユニットと、殺菌作用を有するオゾンを生成して放出するオゾン発生ユニットとをそれぞれ搭載し、リフレッシュ効果を享受したい場合は、負イオン発生ユニットのみを運転するリフレッシュモードに切り換えて、負イオンのみを生成して放出し、防かび効果を享受したい場合は、オゾン発生ユニットのみを運転するクリーンモードに切り換えて、オゾンのみを生成して放出するようにしてもよい。
【００３０】
また、負イオン発生ユニットとオゾン発生ユニットとをそれぞれ搭載する場合も、上述した各実施形態のように、浴室暖房換気乾燥機の基本運転モードにリフレッシュモードやクリーンモードを連動させたり、人検出センサによって検出される浴室内における人の有無に応じて、リフレッシュモードとクリーンモードとを自動的に切り換えるようにしておくと、使い勝手がよくなることはいうまでもない。
【図面の簡単な説明】
【図１】（ａ）はこの発明にかかる浴室暖房換気乾燥機の一実施形態を示す正面図、（ｂ）は同上の浴室暖房換気乾燥機を示す側面図である。
【図２】（ａ）は同上の浴室暖房換気乾燥機におけるフロントカバーを取り外した状態を示す正面図、（ｂ）は同上の浴室暖房換気乾燥機を示す断面図である。
【符号の説明】
１　浴室暖房換気乾燥機
１１　本体ケース
１２　フロントカバー
１３　熱交換器
１４　循環ファン
１５　換気ファン
１６　温風吹出口
１７　イオン発生ユニット
【図１】
2004028449.tif 000003
【図２】
2004028449.tif 000004